(57)【要約】【課題】流体の流れを制御する枠体によって、放熱効果を高める軸流ファンの流体誘導装置を提供する。      【解決手段】軸流ファンの流体誘導装置は、枠体及び枠体内に設置されたプロペラを含み、枠体には入、出風口を具え、出風口に支持構造が設置される。出風口の支持構造には少なくともひとつの流体誘導装置が設置され、その流体誘導装置はプロペラが回転した時、流体の方向を誘導し、軸流ファンに滞留区が発生するのを防止する。【選択図】図７
0003108679.tif 000002
【実用新案登録請求の範囲】
【請求項１】
枠体及び枠体内に設置されたプロペラを含み、枠体には入、出風口を具え、出風口に支持構造が設置される軸流ファンの流体誘導装置において、
出風口の支持構造には少なくともひとつの流体誘導装置が設置され、その流体誘導装置はプロペラが回転した時、流体の方向を誘導し、軸流ファンに滞留区が発生するのを防止して放熱効果を高めることを特徴とする軸流ファンの流体誘導装置。
【請求項２】
前記流体誘導装置は、起点端と末端を具え、且つ相互に連接しないことを特徴とする請求項１記載の軸流ファンの流体誘導装置。
【請求項３】
前記流体誘導装置は、縦断面から見た時、上から下へ枠体中心に向かって傾斜することを特徴とする請求項１記載の軸流ファンの流体誘導装置。
【請求項４】
前記流体誘導装置は、縦断面から見た時、両辺傾斜状であることを特徴とする請求項１記載の軸流ファンの流体誘導装置。
【考案の詳細な説明】
【技術分野】
【０００１】
本考案は、軸流ファンの流体誘導装置に関するもので、流体の流れを制御する枠体によって、放熱効果を高めるものである。
【背景技術】
【０００２】
図１から図３に示すとおり、公知の軸流ファン１は、枠体１１及びプロペラ１２を含む。そのうち、この枠体１１には入風口１１１及び出風口１１２を具え、且つ出風口１１２にはボス台１１３を具える。またボス台１１３周辺には放射線状に支持構造１１４が形成される。この支持構造１１４一端にはボス台１１３が連結され、別一端は枠体１１が連結される。また、プロペラ１２は、枠体１１内のボス台１１３上に設置される。
【０００３】
図４に示すとおり、プロペラ１２が回転すると、流体１３を入風口１１１から誘導し、出風口１１２から吹き出させる。流体１３が出風口１１２から吹き出す時、流体１３は枠体１１両側から外へ流出し、ボス台１１３後方には流体１３が流れないため、その区域が滞留区１４となる。
【０００４】
更に図５，６に示すとおり、公知の軸流ファン１は放熱器１５と組み合わせる。そのうち、この放熱器１５は発熱体１６上にしっかりと貼り付け、放熱器１５上に軸流ファン１を組み立てる。流体１３が枠体１１の入風口１１１から進入し、出風口１１２の放熱器１５に向かって吹き出し、同時に熱源を放熱器１５の隙間１５１から放熱器１５の両端側１５２、１５３へ向かって熱を放出し、放熱効果を得る。
【０００５】
しかし、この種の軸流ファン１には課題があり、一般に発熱体１６は放熱器１５の中央位置に設置されており、発熱体１６が熱を発生した時、放熱器１５は伝導作用によって熱源が充満する。同時に放熱器１５中央部位の熱はその周辺部より大きい。軸流ファン１が放熱器１５中央箇所に設置されているため、ボス台１３後方には滞留区１４が発生し、放熱器１５中央部位の熱源が出て行かないため、放熱効果が十分でない。
【考案の開示】
【考案が解決しようとする課題】
【０００６】
解決しようとする問題点は、発熱体の中央には軸流ファンの風が当たらないため、放熱効果がよくない点である。
【課題を解決するための手段】
【０００７】
本考案は、枠体及び枠体内に設置されたプロペラを含み、枠体には入、出風口を具え、出風口に支持構造が設置される。出風口の支持構造には少なくともひとつの流体誘導装置が設置され、その流体誘導装置はプロペラが回転した時、流体の方向を誘導し、軸流ファンに滞留区が発生するのを防止することを最も主要な特徴とする。
【考案の効果】
【０００８】
本考案の軸流ファンの流体誘導装置は、流体の流れを制御する枠体によって、放熱効果を高めるという利点がある。
【考案を実施するための最良の形態】
【０００９】
放熱効果を向上させるという目的を、放熱器の滞留区発生を克服して実現した。
【実施例１】
【００１０】
図７，８，９に示すとおり、本考案は、軸流ファン２に枠体２１及びプロペラ２２を含む。そのうち、枠体２１には入風口２１１及び出風口２１２を具える。更に出風口２１２箇所にはボス台２１３が設置され、上から下向きに枠体２１中心向きに傾斜した流体誘導装置２１５が少なくとも一つ設置される。またボス台２１３周辺に沿って放射線状に伸びた支持構造２１４が少なくともひとつ設置され、且つその支持構造２１４の別一端は枠体２１に連結される。流体誘導装置２１５は円弧形状で、相互に連接しない起点端２１５１と末端２１５２が成形される。更にこの流体誘導装置２１５の起点端２１５１と末端２１５２はそれぞれ支持構造２１４に連接し、流体誘導装置２１５は枠体２１の出風口２１２箇所に設置される。またプロペラ２は枠体２１内のボス台２１３上に納置される。
【００１１】
図１０に示すとおり、プロペラ２２が回転すると、流体２３が入風口２１１から進入し、出風口２１２に向かって吹き出す。流体２３が出風口２１２から吹き出す時、流体誘導装置２１５に誘導され、流体２３が左側に向かって流動し、ボス台２１３後方の流体が流動区となり、滞留区が発生しないので、放熱効果が向上する。
【００１２】
図１１から図１４に示すとおり、本考案と放熱器２５を組み立てる。放熱器２５を発熱体２６上にしっかりと貼り付け、続いて放熱器２５上に軸流ファン２を接続し、流体誘導装置２１５を放熱器２５の隙間２５１上に横置きする。流体２３が枠体２１の入風口２１１から進入し、出風口２１２の放熱器２５から吹き出す時、流体誘導装置２１５に導かれ、流体２３が放熱器２５中央へ流れた後、放熱器２５左側２５２へ流れ出る。同時に熱源を放熱器２５の隙間２５１から放熱器２５左側２５２へ放出させるので、流体２３は放熱器２５中央の熱源を外へ出し、放熱効果が向上する。
【実施例２】
【００１３】
図１５に示すとおり、本考案の流体誘導装置２１５を断面的に見た時、両辺傾斜状にしてもよい。流体２３が出風口２１２から吹き出す時、流体誘導装置２１５によって、分流が発声し、大部分の流体２３は左側へ流れ、一部の流体２３は右側へ流れるため、滞留区の発生を克服し、右側の熱エネルギーを放出し、放熱範囲を更に広げる。
【図面の簡単な説明】
【００１４】
【図１】公知の軸流ファンの立体分解図である。
【図２】公知の軸流ファンの別角度から見た立体分解指示図である。
【図３】公知の軸流ファンの別角度から見た立体組立指示図である。
【図４】公知の軸流ファンの断面指示図である。
【図５】公知の軸流ファンと放熱器組立立体指示図である。
【図６】公知の軸流ファンと放熱器組立の断面作用指示図である。
【図７】本考案の実施例立体分解図である。
【図８】本考案の実施例の別角度から見た立体分解指示図である。
【図９】本考案の実施例の別角度から見た立体組立指示図である。
【図１０】本考案の実施例の断面作用指示図である。
【図１１】本考案の実施例と放熱器組立の立体分解指示図である。
【図１２】本考案の実施例と放熱器組立の立体組立指示図である。
【図１３】本考案の実施例と放熱器組立の俯瞰指示図である。
【図１４】本考案の実施例と放熱器組立の断面作用指示図である。
【図１５】本考案実施例の流動制御装置の別実施様式断面指示図である。
【符号の説明】
【００１５】
１        軸流ファン
１１        枠体
１１１        入風口
１１２        出風口
１１３        ボス台
１１４        支持構造
１２        プロペラ
１３        流体
１４        滞留区
１５        放熱器
１５１        隙間
１５２        放熱器の端側
１５３        放熱器の別端側
１６        発熱体
２        軸流ファン
２１        枠体
２１１        入風口
２１２        出風口
２１３        ボス台
２１４        支持構造
２１５        流体誘導装置
２１５１        流体誘導装置起点端
２１５２        流体誘導装置末端
２２        プロペラ
２３        流体
２５        放熱器
２５１        隙間
２５２        放熱器左側
２６        発熱体
【図１】
0003108679.tif 000003
【図２】
0003108679.tif 000004
【図３】
0003108679.tif 000005
【図４】
0003108679.tif 000006
【図５】
0003108679.tif 000007
【図６】
0003108679.tif 000008
【図７】
0003108679.tif 000009
【図８】
0003108679.tif 000010
【図９】
0003108679.tif 000011
【図１０】
0003108679.tif 000012
【図１１】
0003108679.tif 000013
【図１２】
0003108679.tif 000014
【図１３】
0003108679.tif 000015
【図１４】
0003108679.tif 000016
【図１５】
0003108679.tif 000017